(57)【要約】【課題】ＩＣ回路のソフトスタートポートの入力電圧を安定させつつ、チョッパ回路の立ち上げを早くすることが可能な定圧電源回路、および上記電源回路を使用したプラズマテレビジョンの提供を目的とする。【解決手段】ＩＣ回路４は、入力端子４ａ１と、出力端子４ａ２と、グランド端子４ａ４と、分圧回路４ｄと接続し、帰還電圧を上記ＩＣ回路内４のロジック回路に出力することでＰＷＭ制御のフィードバックを行うフィードバック端子４ａ３と、上記ロジック回路にＰＷＭ制御のパルスの立ち上がりと立下りを指示するオン／オフ信号電圧を安定して出力するオン／オフ信号端子４ａ５とを有し、上記オン／オフ信号端子４ａ５をソフトスタートコンデンサ４ｂを介してグランドと接続しつつ、上記ソフトスタートコンデンサ４ｂに１５ボルトの入力電圧を供給するために上記入力端子４ａ１と抵抗１１を介して接続する。【選択図】図２
0003122091.tif 000002
【実用新案登録請求の範囲】
【請求項１】
アンテナが受信するテレビジョン放送から所定の番組に対応するテレビジョン放送を選択し、上記選択したテレビジョン放送から映像信号と音声信号を生成するクロマ制御を行うチューナ回路と、
上記チューナ回路が生成した映像信号を基にカラー映像を表示するためのＲＧＢ信号を生成する映像信号処理回路と、
上記映像信号処理回路が生成したＲＧＢ信号を基に映像を表示するプラズマディスプレイと、
上記チューナ回路が生成した音声信号を基に増幅等の信号処理を行う音声信号処理回路と、
上記音声信号処理回路が信号処理した音声信号を基に音声を出力するスピーカと、
１２ボルトと、５ボルトと、３、３ボルトの直流電圧を生成して端子を介して上記チューナ回路と映像信号処理回路と音声信号処理回路とに供給する定電圧電源回路とを有するプラズマテレビジョンにおいて、
上記定電圧電源回路は、巻き線比の異なる一次側コイルと二次側コイルから形成されるメイントランスから整流ダイオードを介して１５ボルトの直流電圧を生成し、上記メイントランスが生成した１５ボルトの直流電源から、トランジスタなどを用いて構成した等価的な可変抵抗などによって、入力電圧を低下させる第一のドロッパ方式電源回路と第二のドロッパ方式電源回路にて１２ボルトと３、３ボルトの電圧を生成し、
１５ボルトの入力電圧を５ボルトに低圧するＰＷＭ制御を行うＩＣ回路と、上記ＩＣ回路に外付けされて同ＩＣ回路にて生成される５ボルトの電圧をツェナーダイオードと平滑化コンデンサにより平滑化を行う平滑化回路と、上記ＩＣ回路から出力される５ボルト出力電圧から分圧により帰還電圧を生成し、上記生成した帰還電圧を上記ＩＣ回路にフィードバックする分圧回路とから構成されるチョッパ回路にて５ボルトの安定電圧を生成し、  上記ＩＣ回路は、
上記メイントランスとダイオードを介して接続する入力端子と、５ボルトの電圧を出力する出力端子と、グランドと接続するグランド端子と、上記分圧回路と接続し、帰還電圧を上記ＩＣ回路内のロジック回路に出力することでＰＷＭ制御のフィードバックを行うフィードバック端子と、上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに入力電圧を供給するために上記入力端子と抵抗を介して接続するオン／オフ信号端子とを有することを特徴とするプラズマテレビジョン。
【請求項２】
メイントランスから分圧して出力する所定の電圧をチョッパ回路にて低圧して出力する定電圧電源回路において、
上記チョッパ回路は、入力電圧を所定の電圧に低圧するＰＷＭ制御を行うＩＣ回路と、上記ＩＣ回路に外付けされて同ＩＣ回路にて生成される出力電圧をツェナーダイオードと平滑化コンデンサにより平滑化を行う平滑化回路と、上記ＩＣ回路から出力される５ボルト出力電圧から分圧により帰還電圧を生成し、上記生成した帰還電圧を上記ＩＣ回路にフィードバックする分圧回路とから構成され、
上記ＩＣ回路は、上記メイントランスとダイオードを介して接続する入力端子と、所定の電圧を出力電圧として出力する出力端子と、グランドと接続するグランド端子と、上記分圧回路と接続し、帰還電圧を上記ＩＣ回路内のロジック回路に出力することでＰＷＭ制御のフィードバックを行うフィードバック端子と、上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに１５ボルトの入力電圧を供給するために上記入力端子と抵抗を介して接続するオン／オフ信号端子とを有する定電圧電源回路。
【請求項３】
上記定電圧電源回路は、上記メイントランスが生成した入力電圧を基に１２ボルトの直流電圧を生成する第一のドロッパ式電源回路と、同１５ボルトの直流電源を基に３．３ボルトの直流電圧を生成する第二のドロッパ方式電源回路と、同１５ボルトの直流電源を基に５ボルトの直流電源を生成するチョッパ回路とから構成されることを特徴とする請求項２に記載の定電圧電源回路。
【考案の詳細な説明】
【技術分野】
【０００１】
本考案は、定電圧電源回路に関し、特に、商用電源から所定の電圧を生成する定電圧電源回路および上記定電圧電源回路を使用するプラズマテレビジョンに関する。 
【背景技術】
【０００２】
定電圧電源回路１は、従来商用電源等のＤＣ１００ボルトを整流しメイントランス１ａからの分圧を用いて所定の電圧を生成している。このときメイントランス１ａから分圧して生成した所定の電圧をドロッパ方式電源回路やチョッパ回路により低圧して所定の電源電圧を生成している。
【０００３】
チョッパ方式は、スイッチング方式とも称され、入力電流を周期的に断続して出力し、導通時間と遮断時間との割合によって、平滑化した後の出力電圧を制御する方式である。この方式では、ドロッパ方式のように、電圧降下による損失が発生しないため、入力電圧と出力電圧との差が大きい用途であっても、効率がよい。
【０００４】
図４は従来の定電圧電源回路に使用されるチョッパ回路を表す図である。チョッパ回路４は、ＩＣ回路４ａと、コイルや抵抗などＩＣ回路に外付けされた部材によって形成された平滑化回路４ｃおよび分圧回路４ｄとを備えている。ＩＣ回路４ａにおいて、入力端子４ａ１から電流が供給されると、ｎｐｎ型の出力トランジスタ４ａ１２は、指示されたデューティ比にて、上記電流を断続して出力する。このとき、上記デューティ比は、外付けされたソフトスタートコンデンサ４ｂの逐電時間によって決定されている。断続された電流は、平滑化回路４ｃによって平滑化された後、負荷端子４ｅへ供給される。
【０００５】
一方、負荷端子４ｅの電圧 は、分圧回路４ｄにより、所定の分圧比で分圧され、帰還電圧ＶＡＤＪ として、ＩＣ回路４ａのフィードバック端子４ａ３へ印加されている。ＩＣ回路４ａにおいて、誤差増幅器４ａ６は、上記帰還電圧ＶＡＤＪ と所定の基準電圧ＶＲＥＦとを比較し、両者の誤差に応じた電圧ＶＥＲＲ を出力する。このとき、ソフトスタート回路４ａ１５は、オン／オフ信号入力端子４ａ１を介してソフトスタートコンデンサ４ｂから出力されるオン／オフ信号を監視しており、上記オン／オフ信号の値に応じて誤差増幅器４ａ６から出力するＶＥＲＲの出力を制御している。
【０００６】
ＰＷＭコンパレータ４ａ８は、発振機４ａ７から与えられた所定の周波数の三角波と、上記誤差電圧ＶＥＲＲ とを比較して、誤差電圧ＶＥＲＲ に応じたパルス幅のパルス信号ＶＰＷＭ を出力する。上記パルス信号ＶＰＷＭは、ＮＡＮＤ回路４ａ１０を介して、ｎｐｎ型トランジスタ４ａ１１に印加される。これにより、出力トランジスタ４ａ１２のデューティ比は、帰還電圧ＶＡＤＪと基準電圧ＶＲＥＦとの誤差が小さくなるように制御される。この結果、定電圧電源回路１は、入力電圧ＶＩＮや負荷が変動しても、所定の大きさの電圧Ｖを安定して負荷へ供給できる。
【０００７】
ところで、上記構成の定電圧電源回路１は、帰還電圧ＶＡＤＪ、すなわち、出力電圧が所定の値となるようデューティを変更する。したがって、負荷端子４ｅが短絡した場合や、想定よりも重い負荷が負荷端子４ｅに接続された場合などには、定電圧電源回路１は、出力電圧を維持するために、出力トランジスタ４ａ１２や平滑化回路４ｃなどの許容量を越えた電流を供給しようとする。この結果、上記出力トランジスタ４ａ１２や平滑化回路４ｃなど、定電圧電源回路１の各部材を破損する虞れがある。
【０００８】
したがって、定電圧電源回路１には、供給電流を制限するための機能が不可欠である。具体的には、ＩＣ回路４ａにおいて、入力端子４ａ１と、出力トランジスタ４ａ１２との間には、過電流検出用抵抗４ａ１４が設けられており、過電流検出回路４ａ１３は、上記過電流検出用抵抗４ａ１４の両端間電圧を監視して、過電流が流れているか否かを判定している。
【０００９】
出力トランジスタ４ａ１２を流れる電流が増加して、所定の値ＩＳ０を越えると、過電流検出回路４ａ１３は、過電流検出用抵抗４ａ１４の両端間電圧に基づいて、過電流が流れていると判定する。この場合、過電流検出回路４ａ１３は、フリップフロップ４ａ９へ検出信号を送り、フリップフロップ４ａ９は、発振機４ａ７からリセット信号が入るまでの間、ＮＡＮＤ回路４ａ１０の出力の一方をローレベルに保持する。さらに、ＮＡＮＤ回路４ａ１０は、ＰＷＭコンパレータ４ａ８からの入力に関わらず、ｎｐｎ型トランジスタ４ａ１１を遮断する。これにより、出力トランジスタ４ａ１２は、過電流検出回路４ａ１３が過電流を検出している間、常に遮断され、定電圧電源回路１は、過電流から保護される。なお、上記電流値ＩＳ０は、正常状態において、定電圧電源回路１が供給可能な出力電流の最大を示しており、用途に応じて決定される。
【００１０】
上述した構成の定電圧回路１において、出力電圧の立ち上がり速度は、誤差増幅器４ａ６のＶＥＲＲの出力を制御するソフトスタートコンデンサ４ｂの逐電速度によって決定される。定電圧回路１から出力される安定化電源を用いてＩＣ回路やマイコン等のロジックを形成する際、出力電圧の順番は重要となってくる。上述した構成のチョッパ回路４が出力する出力電圧が、後に出力する出力電圧よりも遅い場合には、チョッパ回路４の構成を見直す必要がある。仮にソフトスタートコンデンサ４ｂの容量を小さくした場合では、オン／オフ信号の出力を早くすることは可能であるが、オン／オフ信号入力端子４ａ４に十分な電圧を供給することができず、またＩＣ回路４ａがノイズを拾い易くなってしまいＩＣ回路４ａの誤作動を招く原因となってしまう。
【００１１】
チョッパ回路の立ち上げを早くする方法として、チョッパ回路とインバータ回路が接続した照明用の電源回路にてチョッパ回路と電源回とのいずれかをつねに駆動回路と接続しておくことで起動用抵抗値を下げずチョッパ回路の立ち上げを早くする方法が開示されている（例えば、特許文献１参照。）。
【特許文献１】特開平１１−０２７９５３号
【考案の開示】
【考案が解決しようとする課題】
【００１２】
上述した特許文献１の考案は、インバータ回路等の負荷の高い回路と接続したチョッパ回路の起動抵抗を下げることなく立ち上げを早くする方法であり、本考案の課題であるソフトスタートポートの入力を安定させつつインバータ回路の立ち上げを早くするものではない。
【００１３】
本考案は、上記課題にかんがみてなされたもので、ＩＣ回路のソフトスタートポートの入力電圧を安定させつつ、チョッパ回路の立ち上げを早くすることが可能な定電圧電源回路、および上記定電圧電源回路を使用したプラズマテレビジョンの提供を目的とする。
【課題を解決するための手段】
【００１４】
上記課題を解決するために、本考案の請求項１にかかる考案では、アンテナが受信するテレビジョン放送から所定の番組に対応するテレビジョン放送を選択し、上記選択したテレビジョン放送から映像信号と音声信号を生成するクロマ制御を行うチューナ回路と、上記チューナ回路が生成した映像信号を基にカラー映像を表示するためのＲＧＢ信号を生成する映像信号処理回路と、上記映像信号処理回路が生成したＲＧＢ信号を基に映像を表示するプラズマディスプレイと、上記チューナ回路が生成した音声信号を基に増幅等の信号処理を行う音声信号処理回路と、上記音声信号処理回路が信号処理した音声信号を基に音声を出力するスピーカと、１２ボルトと、５ボルトと、３、３ボルトの直流電圧を生成して端子を介して上記チューナ回路と映像信号処理回路と音声信号処理回路とに供給する定電圧電源回路とを有するプラズマテレビジョンにおいて、
上記定電圧回路は、巻き線比の異なる一次側コイルと二次側コイルから形成されるメイントランスから整流ダイオードを介して１５ボルトの直流電圧を生成し、上記メイントランスが生成した１５ボルトの直流電源から、トランジスタなどを用いて構成した等価的な可変抵抗などによって、入力電圧を低下させる第一のドロッパ方式電源回路と第二のドロッパ方式電源回路にて１２ボルトと３、３ボルトの電圧を生成し、１５ボルトの入力電圧を５ボルトに低圧するＰＷＭ制御を行うＩＣ回路と、上記ＩＣ回路に外付けされて同ＩＣ回路にて生成される５ボルトの電圧をツェナーダイオードと平滑化コンデンサにより平滑化を行う平滑化回路と、上記ＩＣ回路から出力される５ボルト出力電圧から分圧により帰還電圧を生成し、上記生成した帰還電圧を上記ＩＣ回路にフィードバックする分圧回路とから構成されるチョッパ回路にて５ボルトの安定電圧を生成し、
上記ＩＣ回路は、上記メイントランスとダイオードを介して接続する入力端子と、５ボルトの電圧を出力する出力端子と、グランドと接続するグランド端子と、上記分圧回路と接続し、帰還電圧を上記ＩＣ回路内のロジック回路に出力することでＰＷＭ制御のフィードバックを行うフィードバック端子と、上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに入力電圧を供給するために上記入力端子と抵抗を介して接続するオン／オフ信号端子とを有する構成としてある。
【００１５】
上記のように構成した請求項１にかかる考案においては、チューナ回路と、映像信号処理回路と、プラズマディスプレイと、音声信号処理回路と、スピーカと、定電圧回路とでテレビジョンの機能を構成するプラズマテレビジョンにおいて、上記定電圧回路は、１２ボルトと、５ボルトと、３、３ボルトの直流電圧を生成して端子を介して上記チューナ回路と映像信号処理回路と音声信号処理回路とに供給するものである。
【００１６】
上記定電圧回路は、メイントランスと、第一のドロッパ方式定電圧回路と、第二のドロッパ方式定電圧回路と、チョッパ回路とから構成される。メイントランスは、巻き線比の異なる一次側コイルと二次側コイルから形成され、整流ダイオードを介して１５ボルトの直流電圧を生成する。第一のドロッパ方式定電圧回路と第二のドロッパ方式定電圧回路は、上記メイントランスが生成した１５ボルトの直流電源から、トランジスタなどを用いて構成した等価的な可変抵抗などによって入力電圧を低下させることで１２ボルトと３、３ボルトの電圧を生成する。チョッパ回路は、ＩＣ回路と、平滑化回路と、分圧回路とから構成されている。ＩＣ回路は、内部ロジックにより１５ボルトの入力電圧を５ボルトに低圧するＰＷＭ制御を行う。平滑化回路は、上記ＩＣ回路に外付けされて同ＩＣ回路にて生成される５ボルトの電圧をツェナーダイオードと平滑化コンデンサにより平滑化を行う。分圧回路は、上記ＩＣ回路から出力される５ボルト出力電圧から分圧により帰還電圧を生成し、上記生成した帰還電圧を上記ＩＣ回路にフィードバックする。
【００１７】
上記チョッパ回路に使用されるＩＣ回路は、入力端子と、出力端子と、グランド端子と、フィードバック端子と、オン／オフ信号端子とを有するＩＣ回路を使用する。このとき、ＩＣ回路の接続方法として、入力端子を上記メイントランスとダイオードを介して接続し、グランド端子をグランドと接続し、フィードバック端子を、帰還電圧を上記ＩＣ回路内のロジック回路に出力することでＰＷＭ制御のフィードバックを行うよう分圧回路と接続し、オン／オフ信号端子を上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに入力電圧を供給するために上記入力端子と抵抗を介して接続する。これにより出力端子より５ボルトに定圧された出力電圧を供給する。
【００１８】
また、上記目的を達成するために、請求項２に記載の定電圧回路では、メイントランスから分圧して出力する所定の電圧をチョッパ回路にて低圧して出力する定電圧電源回路において、上記チョッパ回路は、入力電圧を所定の電圧に低圧するＰＷＭ制御を行うＩＣ回路と、上記ＩＣ回路に外付けされて同ＩＣ回路にて生成される出力電圧をツェナーダイオードと平滑化コンデンサにより平滑化を行う平滑化回路と、上記ＩＣ回路から出力される５ボルト出力電圧から分圧により帰還電圧を生成し、上記生成した帰還電圧を上記ＩＣ回路にフィードバックする分圧回路とから構成され、上記ＩＣ回路は、上記メイントランスとダイオードを介して接続する入力端子と、所定の電圧を出力電圧として出力する出力端子と、グランドと接続するグランド端子と、上記分圧回路と接続し、帰還電圧を上記ＩＣ回路内のロジック回路に出力することでＰＷＭ制御のフィードバックを行うフィードバック端子と、上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに１５ボルトの入力電圧を供給するために上記入力端子と抵抗を介して接続するオン／オフ信号端子とを有する構成としてある。
【００１９】
上記のように構成した請求項２にかかる考案において、メイントランスから分圧して出力する所定の電圧をチョッパ回路にて低圧して出力する定電圧電源回路において、上記チョッパ回路は、ＩＣ回路と、平滑化回路と、分圧回路とか構成されている。ＩＣ回路は、入力電圧を所定の電圧に低圧するＰＷＭ制御を行う。平滑化回路は、上記ＩＣ回路に外付けされて同ＩＣ回路にて生成される出力電圧をツェナーダイオードと平滑化コンデンサにより平滑化を行う。分圧回路は、上記ＩＣ回路から出力される５ボルト出力電圧から分圧により帰還電圧を生成し、上記生成した帰還電圧を上記ＩＣ回路にフィードバックする。
【００２０】
チョッパ回路に使用されるＩＣ回路は、入力端子と、出力端子と、グランド端子と、フィードバック端子と、オン／オフ信号端子とを有するＩＣ回路である。上記ＩＣ回路の接続方法として、入力端子を、上記メイントランスとダイオードを介して接続する。グランド端子をグランドと接続する。フィードバック端子を、帰還電圧を上記ＩＣ回路内のロジック回路に出力することでＰＷＭ制御のフィードバックを行うために分圧回路と接続する。オン／オフ信号端子を、上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに１５ボルトの入力電圧を供給するために上記入力端子と抵抗を介して接続する。これにより出力端子から所定の電圧を出力する。
【００２１】
そして、請求項３にかかる考案では、請求項２に記載の定電圧回路において、上記定電圧電源回路は、上記メイントランスが生成した入力電圧を基に１２ボルトの直流電圧を生成する第一のドロッパ方式電源回路と、同１５ボルトの直流電源を基に３．３ボルトの直流電圧を生成する第二のドロッパ方式電源回路と、同１５ボルトの直流電源を基に５ボルトの直流電源を生成するチョッパ回路とを有する構成としてある。
【００２２】
上記のように構成した請求項３にかかる考案において、請求項２に記載の定電圧回路は、メイントランスと、第一のドロッパ方式電源回路と、第二のドロッパ方式電源回路と、チョッパ回路とから構成される定圧電圧回路としてもよい。
【考案の効果】
【００２３】
以上説明したように本考案によれば、ソフトスタートポートに入力される電圧の値を安定させつつ、インバータ回路の立ち上げを早くすることが可能な定電圧電源回路、および上記定電圧電源回路を使用したプラズマディスプレイテレビジョンを提供することができる。
また請求項３にかかる考案によれば、メイントランスが生成した電圧をドロッパ方式電源回路とチョッパ回路を用いて所定の電源電圧を生成する定電圧電源回路に応用することができる。
さらに請求項１のような、より具体的な構成において、上述した請求項２または請求項３の各考案と同様の作用を奏することはいうまでもない。
【考案を実施するための最良の形態】
【００２４】
本考案の定電圧電源回路の具体的な説明として、上記定電圧電源回路を使用するプラズマテレビジョン１０を基に説明する。しかしながら、本考案の定電圧電源回路は上記プラズマテレビジョンに限定されるものではなく、ソフトスタートポートに入力される電圧の値を安定させつつ、インバータ回路の立ち上げを早くすることが可能である定電圧電源回路を使用するものであれば応用することができる。
以下、下記の順序に従って本考案の実施形態を説明する。
（１）プラズマテレビジョンの構成
（２）定電圧電源回路の構成
（３）まとめ
【００２５】
（１）プラズマテレビジョンの構成 
以下、図１、２、３を参照して、この考案に係るプラズマテレビジョン１０を具体化した第１の実施の形態について説明する。図３より、プラズマテレビジョン１０は、チューナ回路５と映像信号処理回路６と、プラズディスプレイパネル８と、音声信号処理回路７と、スピーカ７ａと、定電圧電源回路１とを有する構成である。以下に各構成要素の機能を説明する。
【００２６】
プラズマテレビジョン１０は、アンテナ５ａが受信したテレビジョン放送から、所定の番組に対応する周波信号を入力するチュ−ナ回路５を具備している。チュ−ナ回路５は、例えば、シンセサイザ方式のチュ−ナの構成とされ、選局制御信号としてＰＬＬデータ、すなわち、ＰＬＬグル−プにおける可変分周回路の分周比のデ−タが与えられる。またチューナ回路５は上記入力したテレビジョン放送から映像信号と音声信号を生成するクロマ制御を行う。
【００２７】
また、プラズマテレビジョン１０は、ビデオ入力端子９を具備している。ビデオ入力端子９には、外部装置として例えば、図示しないＤＶＤ装置等を接続可能であり、このビデオ入力端子４ａ１を介して外部らの映像信号および音声信号の入力が可能となっている。チュ−ナ回路５とビデオ入力端子４ａ１とには、スイッチ回路９ａが接続されている。このスイッチ回路９ａは、チュ−ナ回路５からの映像信号、または、ビデオ入力端子４ａ１からの映像信号のいずれか一方を有効とし、後述する映像信号処理回路６に供給するためのものである。すなわち、実施形態にかかるプラズマテレビジョン１０は、ＴＶ放送の受像と、ＤＶＤ装置等の外部装置からの映像の表示との両方を行うことが可能なように構成されている。
【００２８】
チュ−ナ回路５またはビデオ入力端子４ａ１からの出力は、マイコンに制御された映像信号処理回路６に供給される。映像信号処理回路６は、カラー映像を表示するためのＲＧＢ信号を生成する。映像信号処理回路６は、入力された上記映像信号のデジタル信号への変換処理、インターレース形式の映像信号のプログレッシブ形式の映像信号への変換等の所定の信号処理を行う。
【００２９】
また、映像信号処理回路６はフレームメモリ６ａを有し、同フレームメモリ６ａは、上記信号処理が施された一表示画面（フレ−ム）毎の映像信号を一時的に格納する。上記一表示画面は、後述する駆動ドライバ８ａを介してプラズマディスプレイパネル８に出力、表示される。
【００３０】
駆動ドライバ８ａは、プラズマディスプレイパネル８ａにマトリクス状に設けられたＸ方向、Ｙ方向の両電極に、フレームメモリ６ａに格納されたフレームデータに応じて発生さらせたデ−タパルスを印加し、所定のセルを発光制御する。
【００３１】
音声信号処理回路７は、チューナ回路５が生成した音声信号を基に増幅等の信号処理を行う。音声信号処理回路７はマイコンからの指示に基づいて音量を調整するために増幅等の信号処理を行い、上記信号処理を行った音声信号をスピーカ７ａを介して出力する。
【００３２】
（２）定電圧電源回路の構成
図１は、本発明の定電圧電源回路１を表す図である。同図より定電圧電源回路１は、端子を介して、外部ＩＣ回路等の作動に必要な１２ボルト、５ボルト、３、３ボルトの電源を供給する汎用型電源供給回路を有する構成である。定電圧電源回路１は、メイントランス１ａと、第一のドロッパ方式電源回路２と、チョッパ回路４と、第二のドロッパ方式電源回路３とから構成されており、上記各電源回路にて目的に応じた所定の電源を生成し、端子を介して出力する。
【００３３】
メイントランス１ａは、巻き線比の異なる一次側コイル１ａ１と二次側コイル１ａ２から形成されている。商用電源１ｂから出力された交流電圧は、一次側コイル１ａ１に印加され、二次側コイル１ａ２から分圧されて出力される。二次側コイル１ａ２から出力された電圧は、第一のドロッパ方式電源回路２と第二のドロッパ方式電源回路３とチョッパ回路４にそれぞれ出力される。
【００３４】
第一のドロッパ方式電源回路２と第二のドロッパ方式電源回路３は、メイントランス１ａが入力した１５ボルトの直流電圧を減圧する。第一のドロッパ方式電源回路２は１２ボルトの直流電圧を生成し、第二のドロッパ方式電源回路３は３．３ボルトの直流電圧を生成する。ドロッパ方式は、可変抵抗、あるいは、トランジスタなどを用いて構成した等価的な可変抵抗などによって、入力電圧を低下させて、所望の出力電圧を得る方式である。この方式は、ノイズが少なく、回路設計が簡単かつ容易である。
【００３５】
チョッパ回路４は、整流ダイオード１ｃを介して入力された１５ボルトの直流電圧を低圧して５ボルトの直流電源を生成する。チョッパ回路４は５端子のＩＣ回路４ａを実装しており、整流ダイオード１ｃを介して入力した直流電圧をＩＣ回路４ａにて５ボルトに低圧して出力する。出力された５ボルト電圧はコンデンサに逐電された後、端子を介して各回路に供給される。
【００３６】
図２は本発明のチョッパ回路を表す図である。同図より、チョッパ回路４は、入力された１５ボルト直流電圧を５ボルトに低圧するＩＣ回路４ａと、上記ＩＣ回路４ａに外付けされて出力電圧の平滑化を行う平滑化回路４ｃ、ＩＣ回路４ａがＰＷＭ制御を行うためのフィードバック用の帰還電圧を入力電圧を分圧して生成する分圧回路４ｄとを有する構成である。
【００３７】
ＩＣ回路４ａは、入力端子４ａ１と、出力端子４ａ２と、グランド端子４ａ４と、フィードバック端子４ａ３と、オン／オフ信号入力端子４ａ５の計５本の端子を有するＩＣ回路４ａを使用する。ＩＣ回路の端子の数は上記した５本に限定されるものでなく、以下に説明する機能を有するものであればよい。ＩＣ回路の接続方法として、入力端子４ａ１をメイントランス１ａと整流ダイオード１ｃを介して接続する。グランド端子４ａ４をグランドと接続する。フィードバック端子４ａ３を、帰還電圧をＩＣ回路４ａ内のロジック回路に出力することでＰＷＭ制御のフィードバックを行うよう分圧回路４ｄと接続する。オン／オフ信号入力端子４ａ５を上記ロジック回路にＰＷＭ制御のパルスの立ち上がりと立下りを指示するオン／オフ信号電圧を安定して出力するためソフトスタートコンデンサ４ｂをグランドを介して接続する。
【００３８】
このとき、ソフトスタートコンデンサ４ｂの逐電速度を上げるために、オン／オフ信号入力端子４ａ５と入力端子４ａ１とを抵抗１１を介して接続する。これにより、メイントランス１ａから整流ダイオード１ｃを介して出力された入力電圧は、抵抗１１にて分圧されソフトスタートコンデンサ４ｂに逐電され、結果としてソフトスタートコンデンサ４ｂの逐電速度は高められる。このため、ソフトスタートコンデンサ４ｂから出力されるオン／オフ信号により、内部ロジックにて行われるＰＷＭ制御のパルスの立ち上がりを迅速に行い、出力端子４ａ２から出力する出力電圧の出力速度を高める。
【００３９】
出力端子４ａ２から出力された出力電圧は、平滑化回路４ｃに入力されツェナーダイオード４ｃ１と平滑化コンデンサ４ｃ２によりリップルやノイズの吸収等の平滑化処理がおこなわれ５ボルトの定圧電圧が生成される。また、その際５ボルトを超える出力電圧は、分圧回路４ｄによりフィードバックされＩＣ回路４ａにて電圧の安定化が図られる。
【００４０】
以上説明したように本考案によれば、ソフトスタートコンデンサ４ｂの容量を下げることなくＩＣ回路に入力されるオン／オフ信号の出力速度を高めるので、ソフトスタートポートに入力されるオン／オフ信号を安定して供給して、インバータ回路の立ち上げを早くすることが可能な定電圧電源回路、および上記定電圧電源回路を使用したプラズマディスプレイテレビジョンを提供することができる。
【００４１】
（３）まとめ
メイントランスから分圧して出力する所定の電圧をチョッパ回路にて低圧して出力する定電圧電源回路において、上記チョッパ回路は、入力電圧を所定の電圧に低圧するＰＷＭ制御を行うＩＣ回路と、上記ＩＣ回路に外付けされて同ＩＣ回路にて生成される出力電圧をツェナーダイオードと平滑化コンデンサにより平滑化を行う平滑化回路と、上記ＩＣ回路から出力される５ボルト出力電圧から分圧により帰還電圧を生成し、上記生成した帰還電圧を上記ＩＣ回路にフィードバックする分圧回路とから構成される。上記ＩＣ回路は、上記メイントランスとダイオードを介して接続する入力端子と、所定の電圧を出力電圧として出力する出力端子と、グランドと接続するグランド端子と、上記分圧回路と接続し、帰還電圧を上記ＩＣ回路内のロジック回路に出力することでＰＷＭ制御のフィードバックを行うフィードバック端子と、上記ロジック回路にＰＷＭ制御のパルスの立ち上がりと立下りを指示するオン／オフ信号電圧を安定して出力するためソフトスタートコンデンサをグランドを介して接続しつつ、上記ソフトスタートコンデンサに１５ボルトの入力電圧を供給するために上記入力端子と抵抗を介して接続するオン／オフ信号端子とを有する。
【００４２】
そして、請求項３にかかる考案では、請求項２に記載の定電圧回路において、上記定電圧電源回路は、上記メイントランスが生成した入力電圧を基に１２ボルトの直流電圧を生成する第一のドロッパ式電源回路と、同１５ボルトの直流電源を基に３．３ボルトの直流電圧を生成する第二のドロッパ方式電源回路と、同１５ボルトの直流電源を基に５ボルトの直流電源を生成するチョッパ回路とを有する構成としてある。
【００４３】
上記のように構成した請求項３にかかる考案において、請求項２に記載の定電圧回路は、メイントランスと、第一のドロッパ方式電源回路と、第二のドロッパ方式電源回路と、チョッパ回路とから構成される定圧電圧回路としてもよく、メイントランスが生成した電圧をドロッパ方式電源回路とチョッパ回路を用いて所定の電源電圧を生成する定電圧電源回路に応用することができる。
【００４４】
なお、本考案は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本考案の一実施例として開示されるものである。
【図面の簡単な説明】
【００４５】
【図１】本発明の定電圧電源回路を表す図である。
【図２】本発明のチョッパ回路を表す図である。
【図３】プラズマテレビジョンのブロック構成図である
【図４】従来の定電圧電源回路の図である。
【符号の説明】
【００４６】
１…定電圧電源回路  １ａ…メイントランス  １ａ１…一次側コイル  １ａ２…二次側コイル  １ｂ…商用電源  １ｃ整流ダイオード  ２…第一のドロッパ方式電源回路  ３…第二のドロッパ方式電源回路  ４…チョッパ回路  ４ａ…ＩＣ回路  ４ａ１…入力端子  ４ａ２…出力端子  ４ａ３…フィードバック端子  ４ａ４…グランド端子  ４ａ５…オン／オフ信号入力端子  ４ａ６…誤差増幅器  ４ａ７…発振機  ４ａ８…ＰＷＭコンパレータ  ４ａ９…フリップフロップ  ４ａ１０…ＮＡＮＤ回路  ４ａ１１…ｎｐｎ型トランジスタ  ４ａ１２…出力トランジスタ  ４ａ１３…過電流検出回路  ４ａ１４…過電流検出用抵抗  ４ａ１５…ソフトスタート回路  ４ｂ…ソフトスタートコンデンサ  ４ｃ…平滑化回路  ４ｃ１…ツェナーダイオード  ４ｃ２…平滑化コンデンサ  ４ｄ…分圧回路  ４ｅ…負荷端子    ５…チューナ回路  ５ａ…アンテナ  ６…映像信号処理回路  ６ａ…フレームメモリ  ７…音声信号処理回路  ７ａ…スピーカ  ８…プラズマディスプレイパネル  ８ａ…駆動ドライバ  ９…ビデオ入力端子  ９ａ…スイッチ回路
１０…プラズマテレビジョン  １１…抵抗
【図１】
0003122091.tif 000003
【図２】
0003122091.tif 000004
【図３】
0003122091.tif 000005
【図４】
0003122091.tif 000006